(57)【要約】【課題】排出事業所から排出される廃棄物や原料をコンピュータを利用してリサイクル処理するもので、排出事業所からの排出廃棄物等がリサイクル製品となって排出事業所に納入され、処理費用の大幅の低減と環境安全、省資源に貢献するＩＣタグを用いた廃棄物リサイクルシステムを提供する。【解決手段】廃棄物等は排出事業所から排出されて仕分け分別，解体され種々の加工が施されて成形サレル。この成形品単独又は完成部品と組み合わせ製品が完成し、この製品は廃棄物等を出した排出事業所に納入されて販売される。以上の工程はＩＣタグや２次元シンボルを用いて製品と共に記憶され、製品の生産履歴等をインターネットを用いた処理方法により明確化し、製品の信頼性，安全性の向上が図れる。【選択図】図１
2006277449.tif 000002
【特許請求の範囲】
【請求項１】
廃棄物や原料（廃棄物等という）を排出する排出事業所より前記廃棄物等を収集，運搬する第１の工程と、前記廃棄物等を分別，解体してそのまま使用できる完成部品と加工を必要とする要加工部品とに区別する第２の工程と、前記要加工部品を圧縮及び粗破砕する第３の工程と、圧縮及び粗破砕された前記要加工部品を粉砕，洗浄，ペレット化，成形・加工する第４の工程と、前記第４の工程を終了した部品と前記完成部品とを組み合わせて販売加工な部品（製品）にする第５の工程と、前記製品を前記排出事業所に納品する第６の工程と、前記排出事業所が前記製品を自社利用又は販売する第７の工程とからなり、前記廃棄物等の形状や姿や内容を撮影しＩＣタグに記憶させる第１の手順と、前記各工程における加工状況を前記ＩＣタグに記憶して工程毎の部品と共に次工程に送る第２の手順と、前記ＩＣタグの情報を２次元シンボル等の記憶媒体に記憶させる第３の手順と、前記ＩＣタグや２次元シンボルを製品に取り着けて前記排出事業所側に送る第４の手順とからなることを特徴とするＩＣタグを用いた廃棄物リサイクルシステム。
【請求項２】
前記第３の工程と第４の工程及び第５の工程のすべて又はその一部が、低賃金国で行われることを特徴とするＩＣタグを用いた廃棄物リサイクルシステム。
【発明の詳細な説明】
【技術分野】
【０００１】
本発明は、排出事業所から排出される廃棄物や原料（廃棄物等という）をリサイクルして販売可能な製品としてゴミがゼロとなるゼロエミッションの完成と、排出費用の低減又は無料化とを図ると共にこのすべての処理工程をＩＣタグや２次元シンボルに記憶させて各工程毎の安定化，安心化を図り、かつ製品の履歴追跡を可能とするＩＣタグを用いた廃棄物リサイクルシステムに関する。
【背景分野】
【０００２】
環境保全と省資源化の目的から廃棄物をリサイクルして有効利用するシステムがあり、このシステムとしては各種のものが開示されており、その１つとして「特許文献１」が挙げられる。また、通常行われている廃棄物処理システムとしては、廃棄物を排出する排出事業所が廃棄物処理業者に廃棄物を有料で買い取ってもらい、前記廃棄物処理業がその廃棄物をリサイクル業者に有料でわたし、前記リサイクル業者が廃棄物を製品化して販売する方法が採用されていた。
【特許文献１】特開２００４−１１８５９３
【発明の開示】
【発明が解決しようとする課題】
【０００３】
「特許文献１」の「特開２００４−１１８５９３」の「廃棄物リサイクル情報システム」は廃棄物排出者と廃棄物利用者とシステム管理者がそれぞれ端末をもち、インターネットで接続されて必要な情報を引き出して交換を行い、リクエストに即回答するものであるが、後に説明する本発明のように廃棄物の排出者の責任で廃棄物処理を行いその製品を排出者に戻すようなシステムではない。また、前記した一般に行われている廃棄物処理方法では、前記排出事業者はその排出物処理に責任を持たず、廃棄物処理者側に一任することになり、廃棄物の低減に対する努力やその処理のための費用の発生に対する低減努力がされておらず、結果として廃棄物の多量発生を低減させることが難しい問題点があった。また、廃棄物は各工程を介して加工されて製品化されるが、その加工工程における履歴が不明確であり、製品の信頼性や安全性については不十分な面が多くリサイクル品の流通面においても問題があった。
【０００４】
本発明は、以上の問題点を解決すべく発明されたものであり、廃棄物を排出した排出事業所にリサイクル品が納入され、その販売等を排出事業所が行い、廃棄物処理費の無料化とゼロエミッション化ができ、環境ＩＳＯに対応し得ると共に、すべての工程における状況がＩＣタグや２次元シンボルに記憶されこの記憶情報により製品の履歴が明確となり、製品の信頼性や安全性の向上が図られ、かつ廃棄物の発生量の低減に寄与するＩＣタグを用いた廃棄物リサイクルシステムを提供することを目的とする。
【課題を解決するための手段】
【０００５】
本発明は、以上の目的を達成するために、請求項１の発明は、廃棄物や原料（廃棄物等という）を排出する排出事業所より前記廃棄物等を収集，運搬する第１の工程と、前記廃棄物等を分別，解体してそのまま使用できる完成部品と加工を必要とする要加工部品とに区別する第２の工程と、前記要加工部品を圧縮及び粗破砕する第３の工程と、圧縮及び粗破砕された前記要加工部品を粉砕，洗浄，ペレット化，成形・加工する第４の工程と、前記第４の工程を終了した部品と前記完成部品とを組み合わせて販売加工な部品（製品）にする第５の工程と、前記製品を前記排出事業所に納品する第６の工程と、前記排出事業所が前記製品を自社利用又は販売する第７の工程とからなり、前記廃棄物等の形状や姿や内容を撮影しＩＣタグに記憶させる第１の手順と、前記各工程における加工状況を前記ＩＣタグに記憶して工程毎の部品と共に次工程に送る第２の手順と、前記ＩＣタグの情報を２次元シンボル等の記憶媒体と記憶させる第３の手順と、前記ＩＣタグや２次元シンボルを製品に取り着けて前記排出事業所側に送る第４の手順とからなることを特徴とする。
【０００６】
また、請求項２の発明は、前記第３の工程と第４の工程及び第５の工程のすべて又はその一部が、低賃金国で行われることを特徴とする。
【発明の効果】
【０００７】
本発明の請求項１のＩＣタグを用いた廃棄物リサイクルシステムによれば、排出事業所から排出される廃棄物はすべて所定の工程を介して処理されると共に、処理されて形成された製品は廃棄物を排出した排出事業所に納入されて自社利用又は販売されることになる。これにより、廃棄物の発生低減の可能性が高くなると共に処理費用が殆ど無料となる。また、このすべての処理過程がＩＣタグや２次元シンボルに記憶され、その履歴が明確となり、製品の信頼性と安全性の向上が図られ、製品の遠隔地での実施やその作業の安全化，安定化が図れる。
【０００８】
また、本発明の請求項２のＩＣタグを用いた廃棄物リサイクルシステムによれば、処理工程の一部が低賃金国で行われるため、処理コスト全体の低減化が図られ、販売価格の低減化によりリサイクル商品の拡販が可能となる。
【発明を実施するための最良の形態】
【０００９】
以下、本発明のＩＣタグを用いた廃棄物リサイクルシステムの実施の形態を図面を参照して詳述する。
図１は本発明のＩＣタグを用いた廃棄物リサイクルシステムの全工程を説明するためのフローチャートである。まず、排出事業所がリサイクル方法を決定し廃棄物や原料（廃棄物等）が排出される。次にこの廃棄物等の収集，運搬が行われる（ステップ１００）。収集，運搬された廃棄物等はそのまま使用可能な完成部品と加工を必要とする要加工部品とに区別される（ステップ１０１）。次に、要加工部品の圧縮及び粗破砕が行われ（ステップ１０２）。次に、粉砕，洗浄，ペレット化，成形・加工が行われる（ステップ１０３）。以上の加工が終了した要加工部品は製品の組立て要素となるものであり、これと前記の完成部品とを組み合わせることにより所望の製品が形成される（ステップ１０４）。この製品は再び排出事業所に納品され（ステップ１０５）。排出事業所はその製品の自社利用又は販売を行う（ステップ１０６）。即ち、排出事業所は自分の排出した廃棄物等を用いてこれをリサイクル処理をしてこれを再び排出事業所が受け取り製品の販売を行うこととなる。以上により、排出事業所は廃棄物等の排出のみでなくそのリサイクル処理によって得られた製品を販売するものとなり、リサイクル処理に要した費用が製品の販売費用と見合うことにより従来のように廃棄物処理に費用を必要としない。これにより、廃棄物処理に力が入り、結果として環境ＩＳＯに対応することになる。また、このリサイクルにより所謂ゴミがなくなり、ゼロエミッションの完成が図れる。
【００１０】
以上の説明において、要加工部材の粉砕や洗浄等を行うステップ１０３の工程は国内で行ってもよいが、加工費用の低減のため中国等の低賃金国を利用することが望ましい。
【００１１】
以上のフローはマニアルで行うことは難しく、また、多量の情報を記憶、配送するには特殊のタグ（ＩＣタグ）が必要になる。このタグを利用して多量の情報を記憶させ、これによりシステムの有効度の向上が図れる。また、ＩＣタグの情報を２次元シンボルの記憶媒体に記憶させることにより極めて広範囲な情報が記憶でき、製品の信頼性の向上、安全性の向上を図ることができる。
【００１２】
図２は、以上のＩＣタグを用いた廃棄物リサイクルシステムを拘束に、かつ正確に行うための手段の一例を示す。排出事業所より廃棄物等の排出されると、その廃棄物等の形状や内容その他その物を特定する内容をＩＣタグに記憶させる。次に、廃棄物等は仕分け分別されＩＣタグと共に次工程に送られる。ここで、廃棄物等の内、完成部品を除く部品は種々の加工が行われ、その内容を示す情報がＩＣタグに記憶される。種々の加工が施された部品は完成部品と一体化されて製品となり、この状況もＩＣタグに記憶される。製品と共に送られたＩＣタグは次に２次元シンボルに情報記憶される。以上により、製品の生産履歴やその所在や品質等の情報が明らかになり、製品の信頼性，安全性の向上が図れると共に数多くのデータ及び情報量を記憶することができ、製品の流通性の向上にも寄与する。
【００１３】
図３は、本発明のＩＣタグを用いた廃棄物リサイクルシステムの特長を図式に示したものである。図示のように、本発明の特長としては排出事業所が製品販売を行うと共に廃棄物等の処理の管理部所としても機能する。具体的には、廃棄物処理費用は製品製造原価となり、廃棄物処理費用がなくなり、環境ＩＳＯ対応となる。また、排出事業所のごみがゼロになり、ゼロエミッションの完成が行われる。また、排出事業所は完全なリサイクルシステムの入口，出口となり、廃棄物処理事業所は排出事業所と密接の関係となり廃棄物等の処理の一層の効率化が図れる。
【００１４】
ＩＣタグを用いるため、廃棄物の所在が確認でき、ＩＣタグの無線機能を利用することにより、リアルタイムの廃棄物等の所在がわかり、安心度の向上が図れる。
【００１５】
２次元シンボルによるトレサビリティにより生産履歴が残され、安心，安全が得られる。また、遠隔地でも製品化が可能であり、生産性の向上が図れ、更に環境型の商品，製品の製作に役立つ情報を得ることができる。また、排出事業所も廃棄物等の所在がわかり、安心である。また、適切な処置をとることもできる。
【産業上の利用可能性】
【００１６】
本発明は、廃棄物等を排出する排出事業所におけるリサイクルシステムを説明したが、不要物を排出するすべての場所に適用され、その利用範囲は広い。
【図面の簡単な説明】
【００１７】
【図１】本発明のＩＣタグを用いた廃棄物リサイクルシステムの全体フローを示すフローチャート。
【図２】本発明のＩＣタグを用いた廃棄物リサイクルシステムに用いられるコンピュータフローの概要を示すブロック図。
【図３】本発明のＩＣタグを用いた廃棄物リサイクルシステムの特長を説明するためのブロック図。
【図１】
2006277449.tif 000003
【図２】
2006277449.tif 000004
【図３】
2006277449.tif 000005